(57)【要約】【課題】様々な床サイズに対応するとともに、多様に傾斜する溝形状に対応することができる排水溝の止水構造を提供する。【解決手段】床部材１と、床部材１に固定されて排水溝部１２の上流端部を閉鎖するサイド部材２と、排水溝部１２の上流端部とサイド部材２との接合部分の漏水を防ぐ止水パッキン３および止水用抑え金具５とを備え、排水溝部１２は、上流端部と下流端部との間の傾斜が三次元的に変化するように、複数の傾斜面を連結して排水溝部１２の溝表面が形成され、サイド部材２は、排水溝部１２の上流端部の溝断面形状に対応する孔形状の溝端部挿入孔３０を有し、溝端部挿入孔３０に排水溝部１２の上流端部が挿入されるように床部材１に固定され、止水パッキン３および止水用抑え金具５は、排水溝部１２の上流端部が挿入された溝端部挿入孔３０から漏水が生じないようにサイド部材２の外側面に接合固定されることを特徴とする。【選択図】図１
2019035198.tif 000002
【特許請求の範囲】
【請求項１】
複数の傾斜面を連結して形成された溝形状の排水溝を有する床部材と、
前記床部材に固定されて、前記床部材の周縁部分に配置される前記排水溝の上流端部を閉鎖するサイド部材と、
前記排水溝の上流端部と前記サイド部材との接合部分の漏水を防ぐ防水封止部材と、
を備え、
前記排水溝は、
排水口に下流端部を接続し、
前記上流端部と前記下流端部との間の傾斜が三次元的に変化するように、前記複数の傾斜面を連結して該排水溝の溝表面が形成され、
前記サイド部材は、
前記排水溝の上流端部の溝断面形状に対応する孔形状の溝端部挿入孔を有し、
該溝端部挿入孔に前記排水溝の上流端部が挿入されるように前記床部材に固定され、
前記防水封止部材は、
前記床部材に前記サイド部材が固定されたとき、前記排水溝の上流端部が挿入された前記溝端部挿入孔から漏水が生じないように前記サイド部材の外側面に接合固定される、
ことを特徴とする排水溝の止水構造。
【請求項２】
前記サイド部材は、
前記床部材に固定したとき、該サイド部材の上端部が、前記排水溝の上流端部における最高位部位よりも高くなるように形成されている、
ことを特徴とする請求項１に記載の排水溝の止水構造。
【発明の詳細な説明】
【技術分野】
【０００１】
本発明は、浴室の洗い場などに設けられている排水溝の端部を塞ぐ止水構造に関する。
【背景技術】
【０００２】
例えば、システムバスの洗い場には、床に落ちた湯水をシステムバス（浴室）の外部へ漏水させないように、床パンを備えて上記の洗い場を形成している。また、この床パンには、床に落ちた湯水を下水道へ流す排水口が設けられている（例えば、特許文献１参照）。
また、上記の洗い場には、床に落ちた湯水等を排水口へ導く排水溝が設けられており、一般的な排水溝は、防水性を確保するため、プレス加工によって床パンの一部分に一体形成されている。
【先行技術文献】
【特許文献】
【０００３】
【特許文献１】特開２０１４−１８１４６９号公報
【発明の概要】
【発明が解決しようとする課題】
【０００４】
しかしながら、排水溝を床パンと一体形成した場合、プレス加工によって排水溝の全体が形成されることになる。床パンを様々なサイズの浴室に対応させるためには、プレス加工によって形成した後、当該サイズに適合する大きさ形状に加工することが望まれる。
上記のプレス成形した床パン（床部材）のサイズを変更するため、床部材の端部を切断する加工を施した場合、プレス加工によって形成された排水溝の端部が失われることになる。そのため、浴室床部分から流れ出る排水を外部へ漏らすことのないように、止水を行う構成を新たに設ける必要があるという問題点があった。
【０００５】
本発明は、上記の実情に鑑みて提案されたものである。すなわち、様々な床サイズに対応するとともに、多様に傾斜する溝形状に対応することができる排水溝の止水構造を提供することを目的とする。
【課題を解決するための手段】
【０００６】
上記目的を達成するために、本発明に係る排水溝の止水構造は、複数の傾斜面を連結して形成された溝形状の排水溝を、有する床部材と、前記床部材に固定されて、前記床部材の周縁部分に配置される前記排水溝の上流端部を閉鎖するサイド部材と、前記排水溝の上流端部と前記サイド部材との接合部分の漏水を防ぐ防水封止部材と、を備え、前記排水溝は、排水口に下流端部を接続し、前記上流端部と前記下流端部との間の傾斜が三次元的に変化するように、前記複数の傾斜面を連結して該排水溝の溝表面が形成され、前記サイド部材は、前記排水溝の上流端部の溝断面形状に対応する孔形状の溝端部挿入孔を有し、該溝端部挿入孔に前記排水溝の上流端部が挿入されるように前記床部材に固定され、前記防水封止部材は、前記床部材に前記サイド部材が固定されたとき、前記排水溝の上流端部が挿入された前記溝端部挿入孔から漏水が生じないように前記サイド部材の外側面に接合固定されることを特徴とする。
【０００７】
本発明に係る排水溝の止水構造は、前記サイド部材を前記床部材に固定したとき、該サイド部材の上端部が、前記排水溝の上流端部における最高位部位よりも高くなるように形成されていることを特徴とする。
【発明の効果】
【０００８】
本発明に係る排水溝の止水構造は、床部材にサイド部材を固定することにより、排水溝の上流端部の漏水を防ぐようにした。この構成により、床部材の縁端を切断する加工を施した後でも、排水溝の断面形状に対応して漏水を防ぐことができる。
【０００９】
本発明に係る排水溝の止水構造は、サイド部材の上端部を排水溝の上流端部における最高位部位よりも高くなるように形成した。この構成により、サイド部材を床部材に固定することによって、排水溝の上流端部から排水が漏れ出すことを抑えることができる。
【図面の簡単な説明】
【００１０】
【図１】本発明の実施形態に係る排水溝の止水構造を示す説明図である。
【図２】図１に示した床部材にサイド部材および止水用抑え金具を取り付け固定したときの裏面側の構成を示す説明図である。
【図３】図１の床部材を用いた浴室床面を上方視した説明図である。
【図４】図１の床部材に形成されている排水溝および固定端部の断面図である。
【発明を実施するための形態】
【００１１】
以下に、本発明の実施形態に係る排水溝の止水構造を図面に基づいて説明する。
図１は、本発明の実施形態に係る排水溝の止水構造を示す説明図である。この図は、床部材１にサイド部材２を取り付け固定する部分の分解斜視図である。
床部材１は、湯水等の付着によって腐食などが生じない金属板、例えば、ステンレス鋼板にプレス加工を施して形成したもので、後述する床タイルを設置する洗い場床部１１、図示されない排水口へ湯水等を流す排水溝部１２、例えばシステムバスの側壁部材などに当該床部材１を接続固定する固定端部１３を設けて形成されている。
【００１２】
サイド部材２は、床部材１と同様に湯水等の付着によって腐食などが生じない金属材、例えば、ステンレス鋼材を用いて形成されている。また、床部材１をプレス加工によって形成した後、例えば、システムバスの床サイズ等と合致するように切断加工した部分に設置固定され、床部材１の端辺部分を形成するとともに排水溝部１２の上流端部を塞ぐように形成される。
また、サイド部材２は、床部材１に固定したとき、排水溝部１２と接する部位に、排水溝部１２の断面形状に対応させて形成した溝端部挿入孔３０が設けられている。
【００１３】
溝端部挿入孔３０が設けられている部分には、シート状の例えばゴム材や樹脂材などを用いて形成された止水パッキン３が当てられ、これを止水用抑え金具５を用いてサイド部材２へ押し当てて設置固定している。
ここで、止水パッキン３とサイド部材２との接合面には、シリコンシーラー４が塗布され、例えば、止水パッキン３と接するサイド部材２外側面において、溝端部挿入孔３０の周囲を囲うように塗布されている。シリコンシーラー４は、塗布から所定時間が経過すると適度に硬化して防水作用を生じる、例えば変性シリコンシーリング剤である。
止水パッキン３は、溝端部挿入孔３０全体を覆うことができる大きさを有し、止水用抑え金具５は、少なくとも止水パッキン３の表面全体を覆うことができる大きさを有している。
また、排水溝部１２の上流端部とサイド部材２との接合部位には、前述の止水パッキン３と同様な素材を用いて形成された止水パッキン３ａを設置している。詳しくは、止水パッキン３ａは、床部材１の洗い場床部１１と排水溝部１２との境界部分に設置され、また、床部材１の一部分とサイド部材２の一部分との間に挟み込むように設置されている。
【００１４】
床部材１の固定端部１３に設けられたネジ穴２０、サイド部材２に設けられたネジ穴２１、止水用抑え金具５に設けられたネジ穴２２は、床部材１にサイド部材２を接合し、また、サイド部材２に止水パッキン３を挟んで止水用抑え金具５を接合したとき、一連のネジ穴として連通するように設けられており、当該連通するネジ穴に固定ネジ６を挿入して締め付けを行うことができるように構成されている。
【００１５】
また、止水用抑え金具５に、例えば長穴として設けられたネジ穴２３、サイド部材２に設けられたネジ穴２４、床部材１の洗い場床部１１の側方に設けられたネジ穴２５は、床部材１（排水溝部１２）とサイド部材２との間に止水パッキン３ａを挟んでこれらを接合し、また、サイド部材２に止水パッキン３を挟んで止水用抑え金具５を接合したとき、一連のネジ穴として連通するように設けられており、当該連通するネジ穴に固定ネジ７を挿入して締め付けを行うことができるように構成されている。
【００１６】
即ち、上記の各ネジ穴にそれぞれ固定ネジ６と固定ネジ７を挿入して締め付けを行い、床部材１の所定位置に、サイド部材２、止水パッキン３、止水用抑え金具５を固定している。
このようにサイド部材２を床部材１へ固定することによって、溝端部挿入孔３０に排水溝部１２の上流端部が挿入される。
また、止水パッキン３、止水用抑え金具５を、サイド部材２の外側面（床部材１の外側に配置される面）に接合固定することにより、溝端部挿入孔３０から漏水が生じない程度に止水パッキン３を押し当て、排水溝部１２の上流端部が挿入されている溝端部挿入孔３０を塞いで排水溝部１２の上流端部の止水を行う。またさらに、洗い場床部１１と排水溝部１２との境界部分と、サイド部材２（溝端部挿入孔３０）との間に止水パッキン３ａが密着し、この部分の漏水を防ぐ。
上記のように、固定ネジ５，６によって各部を固定することにより、床部材１を浴室等に設置固定したとき、浴室内、即ち、排水溝部１２の表面側に、止水パッキン３、止水用抑え金具５の止水（防水封止）部材が露出しないように配置している。
【００１７】
図２は、図１に示した床部材１にサイド部材２および止水用抑え金具５を取り付け固定したときの裏面側の構成を示す説明図である。なお、この図中において、サイド部材２と止水用抑え金具５との間には、図示されない止水パッキン３が挟まれている。
床部材１にサイド部材２を接合固定すると、床部材１の排水溝部１２の上流端部がサイド部材２の溝端部挿入孔３０に挿入された状態になる。この部分には、図２に示したように、床部材１ならびにサイド部材２の裏面側からシリコンシーラー４０を適量塗布、もしくは充填し、排水溝部１２の上流端部と溝端部挿入孔３０の縁部分との間に生じる隙間を塞ぐ。
シリコンシーラー４０は、例えば、前述のシリコンシーラー４と同様に、塗布から所定時間が経過すると適度に硬化して防水作用を生じるシーリング剤で、上記のように床部材１の裏面側から塗布することにより、床部材１もしくは排水溝部１２の表面側の美観を損うことなく、床部材１もしくは排水溝部１２の表面側からの水漏れ等を防ぐ防水処理を施す。
【００１８】
図３は、図１の床部材１を用いた浴室床面を上方視した説明図である。床部材１の所定の端部には、排水口５０が設置形成されており、この排水口５０へ向かって排水溝部１２および排水溝部５２が形成されている。
排水溝部５２は、排水口５０を中心にして、排水溝部１２と対向配置されたもので、溝形状等は排水溝部１２と同様に構成されている。
また、排水溝部５２は、前述の排水溝部１２と同様に、図３において床部材１の左端に配置される、図示を省略したサイド部材２、止水パッキン３、止水用抑え金具５によって塞がれている。
ここでは、排水溝部１２の構成について説明し、同様に形成された排水溝部５２の構成に関する説明を省略する。
【００１９】
床部材１は、システムバスなどの浴室に設置されたとき、洗い場床部１１の表面に複数の床タイル部材８を並べて固定するように構成されており、この床タイル部材８は、排水口５０ならびに排水溝部１２，５２を上方から覆うことのないように配置固定される。
排水溝部１２は、上方視したとき、複数のカットラインを有して形成されており、これらカットラインの各間に所定方向へ傾斜した傾斜面を形成し、各方向へ傾斜した傾斜面を複数備えて構成されている。
換言すると、排水溝部１２の溝表面は、それぞれ異なる傾斜の傾斜面を複数連結して形成されている。詳しくは、排水溝部１２は、異なる傾斜角度で、それぞれ異なる方向へ傾斜した傾斜面を複数組み合わせる（連結する）ことにより、三次元的に傾斜が変化する傾斜面（溝表面）を形成させている。
【００２０】
図４は、図１の床部材１に形成されている排水溝部１２および固定端部１３の断面図である。この図は、床部材１の周縁部分（後述する上流端部）における排水溝部１２の溝断面形状を示したものである。
排水溝部１２は、図３において、排水口５０に当該排水溝部１２の下流端部が接続するように形成されている。
また、排水溝部１２は、排水口５０へ流れ込む湯水の上流側となる上流端部が、床部材１の周縁（縁端部）の一部分に配置され、床部材１の所定位置に固定されたサイド部材２と接合する。
排水溝部１２は、床部材１の縁端部と排水口５０との間において、上流端部が高位置となり、排水口５０との接合部分（下流端部）が低位置となる傾斜を有するように形成されている。
【００２１】
排水溝部１２の上流端部における溝断面形状は、図４に示したように、例えば、略正弦波状に形成されている。
この溝断面形状は、平坦に形成された洗い場床部１１と排水溝部１２が接合する部位において、凸状に形成された凸部６１を有する。
また、凸部６１の片側斜面を形成し、固定端部１３へ向かって下降する傾斜面部６２を有する。傾斜面部６２の下端には、当該溝断面形状において最低位となる溝底部６３が連ねて形成されている。
【００２２】
また、溝底部６３には傾斜面部６４の下端が連結され、溝底部６３を挟んで傾斜面部６２と傾斜面６４が対向配置されている。傾斜面６４の上端は、平面部６５に接合されている。
排水溝部１２は、前述のように、それぞれ傾斜方向が異なり、また、傾斜角度が異なる複数の傾斜面部を連結した３次元的に傾斜が変化する溝表面を有していることから、上流端部と下流端部との間において様々な溝断面形状が形成されている。
また、排水溝部１２は、前述のように排水口５０へ向かって下降するように傾斜していることから、傾斜面部６２、溝底部６３、傾斜面部６４は、図４において、図中奥側へ向かって下降するように傾斜している。
【００２３】
凸部６１は、洗い場床部１１の表面に並べられた床タイル部材８の端部と当接し、当該床タイル部材８の位置決めを行うように設けられ、好ましくは、床タイル部材８の表面に付着した湯水等が、容易に排水溝部１２へ流れ落ちるように、床タイル部材８の表面と同等、または若干低くなるように形成されている。
傾斜部６３と傾斜部６４は、それぞれの下端側で溝底部６３を挟み、略Ｖ字状あるいは略Ｕ字状の溝断面形状を形成するように配置されている。
【００２４】
ここで、図４に示した排水溝部１２の溝断面形状において、傾斜部６３および傾斜部６４によって形成される各傾斜辺の長さ、また当該傾斜辺の傾斜角度は、排水溝部１２の上流端部と下流端部との間の各位置で変化する。即ち、傾斜面６３の上端から下端（溝底部６３）までの距離、および、傾斜面６４の上端から下端（溝底部６３）までの距離は、それぞれ排水溝部１２の各位置（排水溝部１２の上流端部と下流端部との間）において変化し、前述のように、排水溝部１２は、傾斜面（溝表面）の傾斜が３次元的に変化するように形成されている。
排水溝部１２の溝表面は、上記のように傾斜することによって、床タイル部材８もしくは洗い場床部１１から湯水（排水）が流れ込み、また、上流端部から排水口５０へ向かって流れるとき、当該排水に含まれている泡が溜まることなく、排水口５０へ流れ落ちるように形成されている。
【００２５】
床部材１は、例えば、ステンレス鋼板をプレス加工によって所定大きさのパン形状に形成し、これを設置する浴室の大きさ（広さ、床形状等）に適合させるため、上記のパン形状の縁辺部分を切り落としている。
ここで、上記のプレス加工によってパン形状の床部材１を形成する際に、床部材１の一部分として排水溝部１２、排水口５０なども形成される。そのため、プレス加工によって床部材１を形成した後に、当該床部材１の縁辺部分を切断すると、パン形状において形成されている排水溝部１２の上流端部の止水形状（縁壁）の部分も切り落とされる。
【００２６】
排水溝部１２は、プレス加工によって溝表面が３次元的に変化するように形成されていることから、浴室の大きさに適合するように、床部材１の縁辺部分を何れかの位置で切断すると、この切断位置に応じて溝断面形状（図４に示した凸部６１、傾斜面部６２、溝底部６３、傾斜面部６４、平面部６５の形状大きさ）が異なったものとなる。また、上記の切断位置における溝表面は、３次元的に傾斜が変化していることから、切断した部位を加工して止水形状となるように成形する（例えば折り曲げ加工を行う）ことは技術的に難しくなる。
プレス加工によってパン形状に形成した床部材１の縁辺部分を切断して大きさを調整するときには、当該切断によって生じる排水溝部１２の上流端部の溝断面形状（折り曲げなどの加工が困難な形状）に対応させて、サイド部材２に溝端部挿入孔３０を形成する。換言すると、溝端部挿入孔３０は、傾斜が３次元的に変化する排水溝端部１２の任意の位置における溝断面形状に対応するように設けられている。
【００２７】
サイド部材２は、床部材１との接合部分から漏水が生じないように、床部材１と密着するように形成されており、特に、排水溝部１２の上流端部と接合する部分においては、当該上流端部における凸部６１、底面部６２、溝底部６３、斜面部６４、平面部６５の大きさ形状に対応する溝端部挿入孔３０を形成させる。
好ましくは、上記の上流端部を挿入したとき、隙間が生じないように溝端部挿入孔３０を形成し、シリコンシーラー４，４０の塗布、充填によるシーリングによって確実に漏水を防ぐことができるように形成する。
【００２８】
なお、実際には、床部材１にサイド部材２を固定する際に、容易に排水溝部１２の上流端を溝端部挿入孔３０へ挿入することができるように、若干の余裕（隙間）を設けて溝端部挿入孔３０を形成する。
サイド部材２は、床部材１の側端に接合固定したとき、床部材１の外部へ漏水が生じることを防ぐように、特に、排水溝部１２の上流端部において止水ができるように、当該サイド部材２の上端部が、排水溝部１２の最高位部位、例えば凸部６１の上端よりも高くなり、また、洗い場床部１１に固定された床タイル部材８の表面よりも高くなるように形成されている。
【符号の説明】
【００２９】
１床部材
２サイド部材
３，３ａ止水パッキン
４シリコンシーラー
５止水用抑え金具
６，７固定ネジ
８床タイル部材
１１洗い場床部
１２排水溝部
１３固定端部
２０〜２５ネジ穴
３０溝端部挿入孔
４０シリコンシーラー
５０排水口
５２排水溝部
６１凸部
６２傾斜面部
６３溝底部
６４傾斜面部
６５平面部
【図１】
2019035198.tif 000003
【図２】
2019035198.tif 000004
【図３】
2019035198.tif 000005
【図４】
2019035198.tif 000006